(57)【要約】【課題】本発明は、生乾きによる雑菌の繁殖を抑制でき、洗濯を繰り返しても抗菌消臭機能の低下を抑制できるシャツを提供する。【解決手段】複数枚の生地が縫製されて形成され、抗菌消臭機能をもった抗菌消臭布を有し、以下の（１）又は（２）の条件を少なくとも満たす構成とする。（１）少なくとも２枚の生地が重なり部分をもち、重なり部分において２枚の生地の間に抗菌消臭布が介在している。（２）一の生地は、中間部で折り返され、一の生地の一部と一の生地の残部が重なり部分をもち、重なり部分において一の生地の一部と一の生地の残部の間に抗菌消臭布が介在している。【選択図】図６
2019002097.tif 000002
【特許請求の範囲】
【請求項１】
複数枚の生地が縫製されて形成されるシャツであって、
抗菌消臭機能をもった抗菌消臭布を有し、
以下の（１）又は（２）の条件を少なくとも満たすことを特徴とするシャツ。
（１）少なくとも２枚の生地が重なり部分をもち、前記重なり部分において前記２枚の生地の間に前記抗菌消臭布が介在して前記抗菌消臭布の大部分が前記２枚の生地で覆われている。
（２）一の生地は、中間部で折り返され、前記一の生地の一部と前記一の生地の残部が重なり部分をもち、前記重なり部分において前記一の生地の一部と前記一の生地の残部の間に前記抗菌消臭布が介在して前記抗菌消臭布の大部分が前記一の生地の一部及び前記一の生地の残部で覆われている。
【請求項２】
前記生地よりも曲げ剛性が大きい芯地を有し、
前記芯地は、芯材上に前記抗菌消臭布が接着されて形成されていることを特徴とする請求項１に記載のシャツ。
【請求項３】
前記抗菌消臭布は、前記芯材とは別部材であって、表面に接着材が設けられており、
前記抗菌消臭布は、前記接着材によって前記芯材に接着されていることを特徴とする請求項２に記載のシャツ。
【請求項４】
前記抗菌消臭布の面積は、前記２枚の生地又は前記一の生地の面積よりも小さいことを特徴とする請求項１乃至３のいずれかに記載のシャツ。
【請求項５】
前記抗菌消臭布は、表面に消臭粒子が分布した布で構成されていることを特徴とする請求項１乃至４のいずれかに記載のシャツ。
【請求項６】
前記抗菌消臭布は、前記重なり部分において、前記生地と縫製されていることを特徴とする請求項１乃至５のいずれかに記載のシャツ。
【請求項７】
前記２枚の生地又は一の生地は、肩ヨーク、衿羽根、台衿、剣ボロ、前立て、カフス、及びタブ部のいずれかを構成することを特徴とする請求項１乃至６のいずれかに記載のシャツ。
【請求項８】
複数回洗濯可能なシャツであって、
ドレスシャツ又はカジュアルシャツであることを特徴とする請求項１乃至７のいずれかに記載のシャツ。
【発明の詳細な説明】
【技術分野】
【０００１】
本発明は、ドレスシャツやカジュアルシャツ等のシャツに関するものであり、洗濯時の生乾きによる悪臭の抑制機能をもつシャツに関する。
【背景技術】
【０００２】
従来から、シャツを洗濯機で洗濯し、部屋干しを行うと、シャツから生乾き臭が発生することがある。この生乾き臭の原因は、雑菌の繁殖、特にモラクセラ菌の繁殖が主な原因であることが知られている。このモラクセラ菌は、水分や皮脂などを栄養分として繁殖することが分かっており、部屋干しを行うと、洗濯時の水分を含んだまま穏やかに乾燥するので、シャツに残った皮脂の残りや洗濯時の水分を栄養として繁殖する。そこで、特許文献１では、雑菌による生乾き臭の対策として、生地として光触媒酸化チタンを練り込んだ繊維を使用するカッターシャツが提案されている。
【先行技術文献】
【特許文献】
【０００３】
【特許文献１】特開２００４−２４４７３３号公報
【発明の概要】
【発明が解決しようとする課題】
【０００４】
しかしながら、特許文献１に記載のカッターシャツは、家庭用の洗濯機で洗濯を繰り返すと、洗濯の度に洗濯機のドラムとシャツの生地が擦れ、抗菌機能をもつ光触媒酸化チタンが徐々に生地から剥がれ落ちてしまうという問題がある。また、特許文献１に記載のカッターシャツは、生地の表面に光触媒酸化チタンが露出するため、通常のカッターシャツに比べて風合いが悪くなるという問題がある。
【０００５】
そこで、本発明は、生乾きによる雑菌の繁殖を抑制でき、洗濯を繰り返しても抗菌消臭機能の低下を抑制できるシャツを提供することを課題とする。
【課題を解決するための手段】
【０００６】
本発明者は、上記問題に鑑み、部屋干しによる乾燥状況を検討したところ、悪臭が発生しやすい衿や袖等の付近であっても、生地の重なりがなく一枚で構成されている部分では比較的早期に乾燥して雑菌の繁殖が少なく、一方、複数枚の生地が重なった部分では乾燥が遅く雑菌が繁殖しやすくなる傾向を発見した。また、本発明者は、上記した発見を踏まえて、生地の全体で同時に菌が繁殖するのではなく、雑菌の繁殖しやすい部位が複数枚の生地が重なった部分に集中することに着目した。また、風合い対策として、抗菌消臭布を別途用意し、当該抗菌消臭布を生地で挟むことによって抗菌消臭布を生地で保護し、洗濯時における抗菌消臭布の摩耗や抗菌消臭布の露出による肌触りの低下の抑制を同時に抑制できると考えた。
【０００７】
上記の考えを基に導き出した請求項１に記載の発明は、複数枚の生地が縫製されて形成されるシャツであって、抗菌消臭機能をもった抗菌消臭布を有し、以下の（１）又は（２）の条件を少なくとも満たすことを特徴とするシャツである。
（１）少なくとも２枚の生地が重なり部分をもち、前記重なり部分において前記２枚の生地の間に前記抗菌消臭布が介在して前記抗菌消臭布の大部分が前記２枚の生地で覆われている。
（２）一の生地は、中間部で折り返され、前記一の生地の一部と前記一の生地の残部が重なり部分をもち、前記重なり部分において前記一の生地の一部と前記一の生地の残部の間に前記抗菌消臭布が介在して前記抗菌消臭布の大部分が前記一の生地の一部及び前記一の生地の残部で覆われている。
【０００８】
ここでいう「大部分」とは、全体の９０％以上の部分をいう。
【０００９】
本発明の構成によれば、部屋干ししたときに、生乾きとなりやすく雑菌が繁殖しやすくなる生地の重なり部分に抗菌消臭布を設けているので、従来に比べて生乾きによる雑菌の繁殖を抑制できる。
本発明の構成によれば、生地の間に抗菌消臭布を介在させて抗菌消臭布を保護しているので、洗濯機で洗濯する際に抗菌消臭布が洗濯機のドラムに直接接触しにくく、洗濯を繰り返しても抗菌消臭布の抗菌消臭機能が低下しにくい。また、抗菌消臭布の大部分が生地で覆われているので、着用者がシャツを着用した際に抗菌消臭布が着用者の肌に直接接触しにくく、抗菌消臭布が肌に触れることによる風合いの悪化を抑制できる。
【００１０】
請求項２に記載の発明は、前記生地よりも曲げ剛性が大きい芯地を有し、前記芯地は、芯材上に前記抗菌消臭布が接着されて形成されていることを特徴とする請求項１に記載のシャツである。
【００１１】
本発明の構成によれば、芯地の一部として抗菌消臭布を使用しているため、従来のシャツと同様の着心地を実現できる。
【００１２】
請求項３に記載の発明は、前記抗菌消臭布は、前記芯材とは別部材であって、表面に接着材が設けられており、前記抗菌消臭布は、前記接着材によって前記芯材に接着されていることを特徴とする請求項２に記載のシャツである。
【００１３】
ここでいう「接着材」とは、接着機能をもつものをいい、液体状又は薄膜状の接着剤だけではなく、シート状やフィルム状の粘着材も含む。
【００１４】
本発明の構成によれば、抗菌消臭布を芯材に接着しやすい。
【００１５】
請求項４に記載の発明は、前記抗菌消臭布の面積は、前記２枚の生地又は前記一の生地の面積よりも小さいことを特徴とする請求項１乃至３のいずれかに記載のシャツである。
【００１６】
本発明の構成によれば、抗菌消臭布の使用量を低減できる。
【００１７】
請求項５に記載の発明は、前記抗菌消臭布は、表面に消臭粒子が分布した布で構成されていることを特徴とする請求項１乃至４のいずれかに記載のシャツである。
【００１８】
本発明の構成によれば、表面に消臭粒子が分布し表面の肌触りが悪い抗菌消臭布を使用した場合であっても、抗菌消臭布が生地で挟まれているので、抗菌消臭布が着用者の肌に直接触れることによる肌触りの低下を抑制できる。
本発明の構成によれば、表面に消臭粒子が分布しているので、消臭粒子と汗等の水分の接触面積を確保でき、良好な消臭効果を発揮できる。
【００１９】
請求項６に記載の発明は、前記抗菌消臭布は、前記重なり部分において、前記生地と縫製されていることを特徴とする請求項１乃至５のいずれかに記載のシャツである。
【００２０】
本発明の構成によれば、抗菌消臭布が生地に対して縫われているため、洗濯時や着用時において抗菌消臭布の位置ズレが発生しにくい。
【００２１】
請求項１乃至６のいずれかに記載のシャツにおいて、前記２枚の生地又は一の生地は、肩ヨーク、衿羽根、台衿、剣ボロ、前立て、カフス、及びタブ部のいずれかを構成することが好ましい（請求項７）。
【００２２】
請求項１乃至７のいずれかに記載のシャツにおいて、複数回洗濯可能なシャツであって、ドレスシャツ又はカジュアルシャツであることが好ましい（請求項８）。
【発明の効果】
【００２３】
本発明のシャツによれば、従来に比べて生乾きによる雑菌の繁殖を抑制でき、洗濯を繰り返しても抗菌消臭機能の低下が少ない。
【図面の簡単な説明】
【００２４】
【図１】本発明の第１実施形態に係るシャツを模式的に示した正面図である。
【図２】図１のシャツの背面図である。
【図３】図１のシャツの衿付近の構造の説明図であり、（ａ）は衿を立てた状態における斜視図であり、（ｂ）は（ａ）の分解斜視図である。
【図４】図３の台衿の分解斜視図である。
【図５】図３の羽根衿の分解斜視図である。
【図６】図１のシャツの衿付近の構造の説明図であり、（ａ）は衿を立てた状態における斜視図であり、（ｂ）は（ａ）のＡ−Ａ断面図である。
【図７】図４の抗菌消臭布を模式的に示した斜視図であり、抗菌消臭布の一例として加工芯として織布を使用した場合を示す。
【図８】本発明の第２実施形態に係るシャツの台衿の説明図であり、（ａ）は正面図であり、（ｂ）は（ａ）のＡ−Ａ断面図である。
【図９】図８の台衿の分解斜視図である。
【図１０】本発明の第３実施形態に係るシャツの衿羽根の説明図であり、（ａ）は正面図であり、（ｂ）は（ａ）のＡ−Ａ断面図である。
【図１１】図１０の羽根衿の分解斜視図である。
【図１２】本発明の第４実施形態に係るシャツの衿羽根の説明図であり、（ａ）は正面図であり、（ｂ）は（ａ）のＡ−Ａ断面図であり、（ｃ）は（ａ）のＢ−Ｂ断面図である。
【図１３】図１２の羽根衿の分解斜視図である。
【図１４】本発明の第５実施形態に係るシャツの羽根衿の説明図であり、（ａ）は正面図であり、（ｂ）は（ａ）のＡ−Ａ断面図であり、（ｃ）は（ａ）のＢ−Ｂ断面図である。
【図１５】図１４の羽根衿の分解斜視図である。
【図１６】本発明の第６実施形態に係るシャツの羽根衿の説明図であり、（ａ）は正面図であり、（ｂ）は（ａ）のＡ−Ａ断面図であり、（ｃ）は（ａ）のＢ−Ｂ断面図である。
【図１７】図１６の羽根衿の分解斜視図である。
【図１８】本発明の第７実施形態に係るシャツのカフス付近の説明図であり、（ａ）は正面図であり、（ｂ）は（ａ）のＡ−Ａ断面図である。
【図１９】本発明の第８実施形態に係るシャツの剣ボロ付近の説明図であり、（ａ）は正面図であり、（ｂ）は（ａ）のＡ−Ａ断面図であり、（ｃ）は（ａ）のＢ−Ｂ断面図である。
【図２０】本発明の第９実施形態に係るシャツの前立て付近の説明図であり、（ａ）は正面図であり、（ｂ）は（ａ）のＡ−Ａ断面図である。
【図２１】本発明の第１０実施形態に係る肩ヨーク付近の説明図であり、（ａ）は正面図であり、（ｂ）は（ａ）のＡ−Ａ断面図である。
【図２２】本発明の第１１実施形態に係るシャツのアームホール付近の説明図であり、（ａ）は正面図であり、（ｂ）は（ａ）のＡ−Ａ断面図である。
【図２３】本発明の第１２実施形態に係るシャツの脇線付近の説明図であり、（ａ）は正面図であり、（ｂ）は（ａ）のＡ−Ａ断面図である。
【図２４】本発明の第１３実施形態に係るシャツのタブ部付近の説明図であり、（ａ）は正面図であり、（ｂ）は（ａ）のＡ−Ａ断面図である。
【発明を実施するための形態】
【００２５】
以下、本発明の実施形態について詳細に説明する。
【００２６】
本発明の第１実施形態のシャツ１は、長袖のドレスシャツであり、洗濯機によって複数回洗濯可能となっている。シャツ１は、図１，図２から読み取れるように、主要構成部位として、身頃２と、肩ヨーク３と、衿５と、袖６と、タブ部７を備え、これらの各部分が裁断した布状の生地を縫製することで形成されている。
そして、本実施形態のシャツ１は、図６のように、衿５に２枚の生地が重なった部分があり、当該重なり部分に抗菌消臭布が介在している点を特徴の一つとする。
以下、衿５の詳細な説明に先立って、シャツ１の構成について簡単に説明する。なお、図面においては、各縫製部分を太線で示している。
【００２７】
身頃２は、主に着用者の胴体を覆うものであり、図１，図２から読み取れるように、一対の前身頃１０，１１と、後身頃１２から構成されている。
前身頃１０，１１には、布状の前身頃形成生地１５，１６で構成され、前方側の端部には前立て１７，１８を備えている。前立て１７，１８は、前身頃形成生地１５，１６の前側端部付近で折り返され、厚み方向に前身頃形成生地１５，１６の一部と残部（折り返し部分）が重なった部分である。
後身頃１２は、布状の後身頃形成生地２５で構成され、周方向の両端部が着用者の胴体を囲むように前身頃１０，１１と接続されている。
【００２８】
肩ヨーク３は、肩から背中にかけての切り替え部であり、前身頃１０，１１と後身頃１２と衿５を接続する部分である。肩ヨーク３は、２枚の肩ヨーク形成生地３０，３１が重なって形成されており、身頃２とともにアームホール３２を構成している。
アームホール３２は、身頃２と肩ヨーク３によって形成された環状の部分であって、袖６との接続部分である。
【００２９】
衿５は、図３のように肩ヨーク３の上端部及び前身頃１０，１１の上端部に跨って取り付けられ、着用者の首の周囲を囲む部位である。
衿５の構造は、本発明の主な特徴の一つであり、詳細については後述する。
【００３０】
袖６は、着用者の腕を覆う部位であり、周方向に筒状に延びている。袖６は、図１，図２のように、袖本体４０と、剣ボロ４１と、カフス４２を備えている。
袖本体４０は、布状の袖本体形成生地４５で構成される部位であり、上端部がアームホール３２に接続され、下端部側に剣ボロ４１及びカフス４２が取り付けられている。
袖本体形成生地４５は、アームホール３２との接続部分において、前身頃形成生地１５（１６）と後身頃形成生地２５と肩ヨーク形成生地３０，３１と重なっている。
袖本体形成生地４５は、図２のように下端部（カフス４２側端部）からアームホール３２側に向かって延びた切り込み４６が形成されている。
剣ボロ４１は、腕をまくりやすくするべく、袖本体４０の切り込み４６の縁部を覆うように取り付けられる部位である。
カフス４２は、袖６の袖口を構成する部位であり、少なくとも２枚のカフス形成生地７０，７１が重ねられ、その縁に沿って縫い付けられている。
【００３１】
タブ部７は、ブランド名やサイズ等を表示可能な部位であり、タブ形成生地７５が肩ヨーク３、後身頃１２、衿５のいずれかに重ねられ、その縁に沿って縫い付けられている。
【００３２】
続いて、本実施形態の主な特徴の一つである衿５の詳細な構造について説明する。
【００３３】
衿５は、着用時に着用者の首回りに位置し、図３，図４のように台衿８０と、衿羽根８１から構成されている。
台衿８０は、衿羽根８１を立たせるための土台を構成するバンド状の部位であり、図４のように台衿形成生地８５，８６と、台衿用芯地８７を備えている。
台衿形成生地８５，８６は、台衿８０の外面を構成し、帯状に延びた生地である。
【００３４】
台衿用芯地８７は、台衿８０の形状を維持する芯地であり、第１抗菌消臭布８８と、台衿用芯材８９を備えている。
第１抗菌消臭布８８は、抗菌消臭機能をもった布であり、細菌の増殖を抑制し、アンモニア等を酸化して分解する機能を備えている。
第１抗菌消臭布８８は、台衿用芯材８９とほぼ同一形状となっており、第１抗菌消臭布８８の面積は、台衿用芯材８９の面積よりもわずかに小さい。
【００３５】
第１抗菌消臭布８８は、図７のように、基材たる加工芯１１０の片面に消臭粒子１１１がバインダー樹脂１１２とともにドット状に担持されて分布されており、反対側の面に接着材（図示せず）が設けられている。
加工芯１１０としては、織布、編物、及び不織布などが使用でき、その材質としては、合成繊維、半合成繊維、再生繊維、天然繊維、及び無機繊維などが使用できる。
消臭粒子１１１としては、細菌の増殖抑制機能と、アンモニア等の酸化分解機能を備えていれば、無機系粒子、有機系粒子のいずれも使用できる。
消臭粒子１１１として無機系粒子を使用する場合には、金属粒子、金属酸化物粒子、及び複合金属酸化物粒子が使用でき、その中でも、銀粒子、二酸化ケイ素粒子、酸化亜鉛粒子、酸化チタン粒子、及びこれらの複合粒子が好ましい。
本実施形態の第１抗菌消臭布８８は、２種類の金属酸化物の複合粒子を使用しており、金属イオンが菌の表面に吸着し、菌の酵素と反応して菌の増殖を抑制して抗菌機能を発揮するものであって、化学吸着又は物理吸着により、消臭機能を発揮するものである。
バインダー樹脂１１２としては、熱可塑性樹脂、熱硬化性樹脂、紫外線硬化性樹脂などが使用できる。
【００３６】
接着材としては、熱可塑性樹脂、熱硬化性樹脂、紫外線硬化性樹脂などで形成された液体状又は薄膜状の樹脂接着剤や両面テープなどのシート状又はフィルム状の樹脂粘着材が使用できる。その中でも、アイロン等の熱源で接着可能である観点から、熱により接着機能を発揮する熱可塑性樹脂で形成された樹脂接着剤であることが好ましい。
【００３７】
台衿用芯材８９は、図４のように第１抗菌消臭布８８を支持する生地であり、台衿形成生地８５，８６や第１抗菌消臭布８８よりも厚く、台衿形成生地８５，８６や第１抗菌消臭布８８よりも硬質であって曲げ剛性が大きい生地である。
【００３８】
衿羽根８１は、図５のように衿羽根形成生地９０，９１と、ベース芯地９２を備えている。
衿羽根形成生地９０，９１は、衿羽根８１の外面を構成し、帯状に延びた生地である。
ベース芯地９２は、衿羽根８１の形状を維持する芯地であり、第２抗菌消臭布９３と、ベース芯材９４を備えている。
第２抗菌消臭布９３は、第１抗菌消臭布８８と同様、抗菌消臭機能をもった布であり、細菌の増殖を抑制し、アンモニア等を酸化して分解する機能を備えている。
第２抗菌消臭布９３は、第１抗菌消臭布８８と同様の材料で形成できるものであり、本実施形態では、第１抗菌消臭布８８と同様、加工芯１１０の片面に消臭粒子１１１とバインダー樹脂１１２がドット状に分布されており、加工芯１１０の反対面に接着材が設けられている。第２抗菌消臭布９３を構成する加工芯、バインダー樹脂、消臭粒子、及び接着材は、いずれも第１抗菌消臭布８８と同様のものの中から選択して使用できる。
第２抗菌消臭布９３は、ベース芯材９４とほぼ同一形状となっており、第２抗菌消臭布９３の面積は、ベース芯材９４の面積よりもわずかに小さい。
ベース芯材９４は、第２抗菌消臭布９３を支持する生地であり、衿羽根形成生地９０，９１や第２抗菌消臭布９３よりも厚く、衿羽根形成生地９０，９１や第２抗菌消臭布９３よりも硬質であって曲げ剛性が大きい生地である。
【００３９】
続いて、本実施形態のシャツ１の各部位の位置関係について説明する。特に本実施形態の特徴の一つである衿５の周囲について重点的に説明する。なお、図６のように衿羽根８１を立てた状態を基準とする。
【００４０】
衿羽根８１は、図６のように衿羽根形成生地９０上にベース芯地９２が積層され、互いに接着されて一体となっている。衿羽根８１は、平面視したときに衿羽根形成生地９０と、ベース芯材９４と、第２抗菌消臭布９３と、衿羽根形成生地９１が重なっている。
衿羽根形成生地９０及びベース芯地９２は、それぞれの上端部分がともに片側に折り返されて生地本体部９５と、上側折り返し部９６が形成されている。衿羽根形成生地９１は、その上端部分が衿羽根形成生地９０及びベース芯地９２とは反対側に折り返されて、生地本体部９７と、上側折り返し部９８が形成されている。
衿羽根形成生地９０及びベース芯地９２と、衿羽根形成生地９１とは、上側折り返し部９６と上側折り返し部９８が対向するように重なっており、重なり部分において縁に沿って縫製されている。すなわち、衿羽根形成生地９０の生地本体部９５及び衿羽根形成生地９１の生地本体部９７は、衿羽根８１の外面を構成しており、ベース芯地９２は、生地本体部９５及び衿羽根形成生地９１の間に介在している。
着用者側からみて内側に位置する衿羽根形成生地９０の生地本体部９５と、外側に位置する衿羽根形成生地９１の生地本体部９７の間には、ベース芯地９２が介在している。第２抗菌消臭布９３は、ベース芯材９４に対して生地本体部９７側（着用者とは反対側）に位置しており、その大部分又は全部が衿羽根形成生地９０及び衿羽根形成生地９１に覆われている。
【００４１】
台衿８０は、台衿形成生地８５上に台衿用芯地８７が積層され、互いに接着されて一体となっている。台衿８０は、平面視したときに、台衿形成生地８５と、台衿用芯材８９と、第１抗菌消臭布８８と、台衿形成生地８６とが重なっている。
台衿形成生地８５は、その上端部分が台衿用芯地８７から張り出しており、当該張出部分が折り返されて上側折り返し部１００が形成されている。台衿形成生地８５は、その下端部分が台衿用芯地８７から張り出しており、当該張出部分が折り返されて下側折り返し部１０１が形成されている。すなわち、台衿形成生地８５は、上側折り返し部１００と、生地本体部１０２と、下側折り返し部１０１に分かれている。
台衿形成生地８６は、その上端部分が折り返され、その下端部分も折り返されて、上側折り返し部１０５と、生地本体部１０６と、下側折り返し部１０７が形成されている。
【００４２】
台衿形成生地８５の上側折り返し部１００と、台衿形成生地８６の上側折り返し部１０５は、衿羽根８１の下端部を挟んでおり、台衿形成生地８５の上側折り返し部１００と生地本体部１０２の間には第１抗菌消臭布８８が位置している。そして、台衿形成生地８５と、衿羽根８１の下端部と、台衿用芯地８７と、台衿形成生地８６の重なり部分は、縫製されて一体となっている。
台衿形成生地８５の下側折り返し部１０１と、台衿形成生地８６の下側折り返し部１０７は、肩ヨーク形成生地３０，３１及び前身頃形成生地１５，１６をそれぞれ挟んで重なっており、当該重なり部分が縫製されている。
着用者側からみて内側に位置する台衿形成生地８５の生地本体部１０２と、外側に位置する台衿形成生地８６の生地本体部１０６の間には、台衿用芯地８７が介在している。そして、第１抗菌消臭布８８は、台衿用芯材８９に対して生地本体部１０６側に位置しており、その大部分又は全部が台衿形成生地８５及び台衿形成生地８６に覆われている。
台衿８０は、長手方向の一方の端部近傍にボタンが設けられ、他方の端部近傍にボタンホールが設けられている。すなわち、台衿８０は、ボタンを取り付ける糸やボタンホールを形成する糸によっても、台衿形成生地８５、第１抗菌消臭布８８、及び台衿形成生地８６が縫われて一体となっている。
【００４３】
本実施形態のシャツ１によれば、複数枚の生地が重なり、乾燥時に乾きにくく生乾きになりやすい台衿８０や衿羽根８１に抗菌消臭布８８，９３が設けられているので、抗菌消臭布８８，９３が洗濯時の水分に晒され、部屋干し臭の原因とされるモラクセラ菌の増殖を抑制できる。
【００４４】
本実施形態のシャツ１によれば、第２抗菌消臭布９３が衿羽根形成生地９０及び衿羽根形成生地９１に挟まれて外部から保護されており、第１抗菌消臭布８８が台衿形成生地８５及び台衿形成生地８６に挟まれて外部から保護されているので、洗濯時において、抗菌消臭布８８，９３の表面が洗濯機のドラムと接触せず、抗菌消臭布８８，９３の表面に形成された消臭粒子１１１が加工芯１１０から剥がれにくい。そのため、複数回洗濯しても消臭機能を維持することができる。
【００４５】
本実施形態のシャツ１によれば、着用者の首に近く、汗が留まりやすい台衿８０や衿羽根８１に抗菌消臭布８８，９３が設けられているので、発汗等に伴うアンモニアや酢酸等の汗臭・腋臭、ノネナールによる加齢臭等を酸化して分解でき、着用時における悪臭を抑制できる。
【００４６】
本実施形態のシャツ１によれば、芯材８９，９４に抗菌消臭布８８，９３を貼り付けて芯地８７，９２として使用しているため、芯地８７，９２を通常の芯地と同様に使用できる。また、抗菌消臭布８８，９３の厚みも薄くでき、抗菌消臭布８８，９３の存在により、風合いを損ねることを防止できる。
【００４７】
本実施形態のシャツ１によれば、シャツ１の表面を構成する生地とは別途用意した抗菌消臭布８８，９３を使用し、生地の重なり部分に抗菌消臭布８８，９３を介在させて重点的に消臭抗菌機能を持たせているので、生地全体に消臭抗菌機能を付加させる場合に比べて、抗菌消臭布８８，９３の使用量を低減できる。
【００４８】
続いて、本発明の第２実施形態のシャツ２００について説明する。なお、第１実施形態と同様の構成については同様の符号を振って説明を省略する。
【００４９】
第２実施形態のシャツ２００は、第１実施形態のシャツ１と台衿の構成が異なる。
第２実施形態の台衿２０１は、図９のように、台衿形成生地８５，８６と、台衿用芯地２０２を備えている。
台衿用芯地２０２は、第１抗菌消臭布２０３と、台衿用芯材２０４を備えている。
第１抗菌消臭布２０３は、第１抗菌消臭布８８と同様の材料で構成され、抗菌消臭機能をもった布である。
台衿用芯地２０２の幅は、台衿形成生地８５の幅の１／１０〜１／３であることが好ましい。本実施形態では、台衿用芯地２０２の幅は、台衿形成生地８５の下側折り返し部１０１の幅と実質的に一致している。
【００５０】
第１抗菌消臭布２０３と台衿用芯材２０４は、図８のように台衿形成生地８５上に重ねられ、台衿形成生地８５の縁に沿って接着されて一体となっている。
台衿用芯地２０２は、台衿形成生地８５の生地本体部１０２と下側折り返し部１０１の間に介在しており、生地本体部１０２と下側折り返し部１０１との重なり部分において縫製されている。第１抗菌消臭布２０３は、台衿用芯材２０４に対して着用者側（台衿形成生地８６側）に位置している。
【００５１】
本実施形態のシャツ２００によれば、第１抗菌消臭布２０３が生地本体部１０２と下側折り返し部１０１の間に介在し、下側折り返し部１０１と同程度の大きさであるため、第１抗菌消臭布２０３の使用量を低減でき、製造コストを低減できる。
【００５２】
続いて、本発明の第３実施形態のシャツ３００について説明する。なお、第１，２実施形態と同様の構成については同様の符号を振って説明を省略する。
【００５３】
第３実施形態のシャツ３００は、第１実施形態のシャツ１と衿羽根の構成が異なる。
第３実施形態の衿羽根３０１は、図１１のように衿羽根形成生地９０，９１と、ベース芯地３０２と、ヒューズ芯地３０３を備えている。
ベース芯地３０２は、ベース芯材９４で構成されている。
ヒューズ芯地３０３は、帯状に延びており、ベース芯地３０２よりも幅が狭く、その面積も小さい。ヒューズ芯地３０３は、第２抗菌消臭布３０５と、ヒューズ用芯材３０６を備えている。
第２抗菌消臭布３０５は、第２抗菌消臭布９３と同様、抗菌消臭機能をもった布である。第２抗菌消臭布３０５は、ヒューズ用芯材３０６とほぼ同一形状となっており、ヒューズ用芯材３０６の面積よりも若干小さい。
ヒューズ用芯材３０６は、第２抗菌消臭布３０５を支持する生地であり、衿羽根形成生地９０，９１や第２抗菌消臭布３０５よりも厚く、衿羽根形成生地９０，９１や第２抗菌消臭布３０５よりも硬質であって曲げ剛性が大きい生地である。
【００５４】
続いて、本実施形態のシャツ３００の各部位の位置関係について説明する。
【００５５】
衿羽根３０１は、図１０のように、ベース芯地３０２上にヒューズ芯地３０３が積層されて重なっており、互いに接着されている。ヒューズ芯地３０３は、重なり方向から平面視したときに、ベース芯地３０２の縁の内側に位置している。衿羽根３０１は、衿羽根形成生地９０，９１の間にヒューズ芯地３０３及びベース芯地３０２が介在しており、着用者側からみてヒューズ芯地３０３は、ベース芯地３０２に対して内側に位置している。
【００５６】
第３実施形態のシャツ３００によれば、２枚の芯地３０２，３０３を備えているので、一枚の芯地の場合に比べて曲げ剛性が大きくなり、より形状を維持しやすい。
【００５７】
本発明の第４実施形態のシャツ４００について説明する。
【００５８】
第４実施形態のシャツ４００は、第１実施形態と衿羽根の構造が異なる。
第４実施形態の衿羽根４０１は、図１３のように衿羽根形成生地９０，９１と、ベース芯地３０２と、衿先用芯地４０３ａ，４０３ｂを備えている。
衿先用芯地４０３ａ，４０３ｂは、衿先に設けられる芯地であり、帯状に延び、ベース芯地３０２よりも幅が狭い。衿先用芯地４０３ａ，４０３ｂは、第２抗菌消臭布４０５ａ，４０５ｂと、衿先用芯材４０６ａ，４０６ｂを備えている。
第２抗菌消臭布４０５ａ，４０５ｂは、第２抗菌消臭布９３と同様の材質で形成されており、抗菌消臭機能をもった布である。第２抗菌消臭布４０５ａ，４０５ｂは、ベース芯地３０２の衿先付近とほぼ同一形状となっており、衿先用芯材４０６ａ，４０６ｂの面積と同じかやや小さい。
衿先用芯材４０６ａ，４０６ｂは、第２抗菌消臭布４０５ａ，４０５ｂを支持する生地であり、衿羽根形成生地９０，９１や第２抗菌消臭布４０５ａ，４０５ｂよりも厚く、衿羽根形成生地９０，９１や第２抗菌消臭布４０５ａ，４０５ｂよりも硬質であって曲げ剛性が大きい生地である。
【００５９】
続いて、本実施形態のシャツ４００の各部位の位置関係について説明する。
【００６０】
衿羽根４０１は、図１２のように、ベース芯地３０２上に衿先用芯地４０３ａ，４０３ｂが積層されて重なっており、衿羽根形成生地９０，９１の間にベース芯地３０２及び衿先用芯地４０３ａ，４０３ｂが介在している。
衿先用芯地４０３ａ，４０３ｂは、ベース芯地３０２の長手方向の端部近傍に設けられ、ベース芯地３０２の長手方向に所定の間隔を空けて配されている。すなわち、衿羽根４０１は、延ばした状態で平面視したときに、衿先用芯地４０３ａ，４０３ｂが存在する補強領域４０７ａ，４０７ｂと、衿先用芯地４０３ａ，４０３ｂが設けられていない非補強領域４０８が存在する。すなわち、衿羽根４０１は、図１２（ａ）のように、長手方向において、補強領域４０７ａ、非補強領域４０８、補強領域４０７ｂの順に配されている。
【００６１】
第４実施形態のシャツ４００によれば、衿先部分に設けられた衿先用芯地４０３ａ，４０３ｂに第２抗菌消臭布４０５ａ，４０５ｂが設けられているため、第２抗菌消臭布４０５ａ，４０５ｂの使用量を低減でき、コストを低減できる。
【００６２】
第４実施形態のシャツ４００によれば、衿羽根４０１の長手方向の中央部分に非補強領域４０８が設けられているため、衿羽根４０１を首回りに折り曲げやすい。
【００６３】
本発明の第５実施形態のシャツ５００について説明する。
【００６４】
第５実施形態のシャツ５００は、第１実施形態と衿羽根の構造が異なる。
第５実施形態の衿羽根５０１は、図１５のように衿羽根形成生地９０，９１と、ベース芯地３０２と、ヒューズ芯地５０３と、衿先用芯地４０３ａ，４０３ｂを備えている。
ヒューズ芯地５０３は、ヒューズ用芯材３０６から構成されている。
【００６５】
衿羽根５０１は、図１５のように、ベース芯地３０２上に、ヒューズ芯地５０３と、衿先用芯地４０３ａ，４０３ｂがこの順に積層されて重なっている。すなわち、衿羽根５０１は、衿羽根形成生地９０，９１の間にベース芯地３０２、ヒューズ芯地５０３、及び衿先用芯地４０３ａ，４０３ｂが介在している。
衿先用芯地４０３ａ，４０３ｂは、ヒューズ芯地５０３上で所定の間隔を空けて配されており、ヒューズ芯地５０３の長手方向の両端部付近に位置している。
【００６６】
第５実施形態のシャツ５００によれば、３種類の芯地３０２，５０３，４０３ａ（４０３ｂ）を重ねているため、より形状を維持しやすい。
【００６７】
本発明の第６実施形態のシャツ６００について説明する。
【００６８】
第６実施形態のシャツ６００は、第１実施形態と衿羽根の構造が異なる。
第６実施形態の衿羽根６０１は、図１６，図１７のように、衿羽根形成生地９０，９１と、ベース芯地３０２と、第２衿先用芯地６０２ａ，６０２ｂと、衿先用芯地４０３ａ，４０３ｂを備えている。
第２衿先用芯地６０２ａ，６０２ｂは、衿先用芯材６０６ａ，６０６ｂを備えている。
衿先用芯材６０６ａ，６０６ｂは、衿先用芯材４０６ａ，４０６ｂと同様のものであり、衿先用芯材６０６ａ，６０６ｂの面積は、衿先用芯材４０６ａ，４０６ｂの面積よりも大きい。
【００６９】
衿羽根６０１は、図１６のように、ベース芯地３０２上に第２衿先用芯地６０２ａ，６０２ｂと、衿先用芯地４０３ａ，４０３ｂがこの順に積層されて重なっており、衿先用芯地４０３ａ，４０３ｂは、平面視したときに第２衿先用芯地６０２ａ，６０２ｂの縁の内側に位置している。すなわち、衿羽根６０１は、衿羽根形成生地９０，９１の間にベース芯地３０２、第２衿先用芯地６０２ａ，６０２ｂ、及び衿先用芯地４０３ａ，４０３ｂが介在している。
【００７０】
上記した実施形態では、衿５に抗菌消臭布が設けられていたが、本発明はこれに限定されるものではない。
カフス７０１に抗菌消臭布７０３を設けてもよい（第７実施形態）。
第７実施形態のカフス７０１は、図１８のように、２枚のカフス形成生地７０，７１の間にカフス用芯地７０２が設けられ、カフス用芯地７０２は、抗菌消臭布７０３と、カフス用芯材７０５を備えており、接着材によって接着されて一体となっている。カフス形成生地７０，７１は、ともに端部が内側に折り返されて袖本体形成生地４５と重ねられており、重なり部分において互いに縫製されている。
また、カフス７０１は、帯状であって、長手方向の一方の端部近傍にボタンが設けられ、他方の端部近傍にボタンホールが設けられている。すなわち、カフス７０１は、ボタンを取り付ける糸やボタンホールを形成する糸によっても、カフス形成生地７０、カフス用芯地７０２、及びカフス形成生地７１が縫われて一体となっている。
【００７１】
剣ボロ４１に抗菌消臭布８００ａ，８００ｂを設けてもよい（第８実施形態）。
第８実施形態の剣ボロ４１は、図１９のように、上ボロ５０と、下ボロ５１から構成されている。
上ボロ５０は、カフス４２のボタンを締めたときに、下ボロ５１の外側を覆う部位であり、切り込み４６の一方の縁部に沿って延びた上ボロ形成生地５２と、抗菌消臭布８００ａで構成されている。
上ボロ形成生地５２は、当該一方の縁部を覆うように幅方向中央部が折り返され、当該折り返し部分を境界として表面側覆部５５と裏面側覆部５６が形成されている。そして、上ボロ５０は、表面側覆部５５の上ボロ形成生地５２ａと裏面側覆部５６の上ボロ形成生地５２ｂの間に抗菌消臭布８００ａが介在している。また、上ボロ５０は、表面側覆部５５の上ボロ形成生地５２ａ、袖本体４０の袖本体形成生地４５、抗菌消臭布８００ａ、裏面側覆部５６の上ボロ形成生地５２ｂの重なり部分が縫製されて一体となっている。
【００７２】
下ボロ５１は、上ボロ５０と対をなし、切り込み４６の他方の縁部に沿って延びた下ボロ形成生地５８と、抗菌消臭布８００ｂで構成されている。
下ボロ形成生地５８は、上ボロ形成生地５２と同様、当該他方の縁部を覆うように幅方向中央部が折り返され、折り返し部分を境界として表面側覆部６０と裏面側覆部６１が形成されている。そして、下ボロ５１は、表面側覆部６０の下ボロ形成生地５８ａと裏面側覆部６１の下ボロ形成生地５８ｂの間に抗菌消臭布８００ｂが介在している。
また、下ボロ５１は、表面側覆部６０の下ボロ形成生地５８ａと、袖本体４０の袖本体形成生地４５と、抗菌消臭布８００ａと、裏面側覆部６１の下ボロ形成生地５８ｂの重なり部分が縫製されて一体となっている。
上ボロ５０には、延び方向の中間部にボタンホールが設けられており、下ボロ５１には延び方向の中間部にガントレットボタンが設けられている。すなわち、上ボロ５０及び下ボロ５１は、ガントレットボタンを取り付ける糸やボタンホールを形成する糸によっても、表面側覆部５５，６０の生地５２ａ，５８ａ、抗菌消臭布８００ａ，８００ｂ、及び裏面側覆部５６，６１の生地５２ｂ，５８ｂが縫われて一体となっている。
【００７３】
前立て１７，１８に抗菌消臭布９００，９００を設けてもよい（第９実施形態）。
第９実施形態の前立て１７，１８は、図２０のように基端側を構成する基端側構成部２０と先端側を構成する先端側構成部２１から構成されている。
前立て１７，１８は、ともに基端側構成部２０と先端側構成部２１の間に前立て用芯地９１０が設けられ、前立て用芯地９１０は、抗菌消臭布９００と、前立て用芯材９０１を備えており、これらが接着材によって接着されて一体となっている。
先端側構成部２１は、基端側構成部２０に対して縫製されており、先端側構成部２１と基端側構成部２０の境界部分においては、先端側構成部２１、前立て用芯地９１０、基端側構成部２０が縫製により一体となっている。
一方の前身頃１０の前立て１７には、ボタンが設けられており、他方の前身頃１１の前立て１８にはボタンホールが設けられている。すなわち、前立て１７，１８は、ボタンを取り付ける糸やボタンホールを形成する糸によっても、先端側構成部２１、前立て用芯地９１０、及び基端側構成部２０が縫われて一体となっている。
【００７４】
肩ヨーク３に抗菌消臭布１０００を設けてもよい（第１０実施形態）。
第１０実施形態の肩ヨーク３は、図２１のように、肩ヨーク形成生地３０，３１の間に抗菌消臭布１０００が介在している。具体的には、肩ヨーク３は、着用者側の肩ヨーク形成生地３０に抗菌消臭布１０００が接着されており、抗菌消臭布１０００を背面側の肩ヨーク形成生地３１が覆っている。
【００７５】
アームホール３２に抗菌消臭布１１００を設けてもよい（第１１実施形態）。
第１１実施形態のアームホール３２では、図２２のように、袖本体形成生地４５と前身頃形成生地１５（１６）の間、袖本体形成生地４５と後身頃形成生地２５の間、袖本体形成生地４５と肩ヨーク形成生地３０，３１の間に抗菌消臭布１１００が介在している。例えば、図２２（ｂ）のように袖本体形成生地４５と前身頃形成生地１５の関係では、袖本体形成生地４５の折り返し部分と前身頃形成生地１５の折り返し部分に跨って抗菌消臭布１１００が設けられている。
【００７６】
脇線２３を構成する前身頃形成生地１５（１６）と後身頃形成生地２５の重なり部分や袖本体形成生地４５の重なり部分に抗菌消臭布１２００を設けてもよい（第１２実施形態）。
第１２実施形態の脇線２３では、図２３のように、前身頃形成生地１５（１６）と後身頃形成生地２５の間及び／又は袖本体形成生地４５の周方向（袖回り方向）の一端と他端の間に抗菌消臭布１２００が介在している。
【００７７】
タブ部７に抗菌消臭布１２００を設けてもよい（第１３実施形態）。
第１３実施形態のタブ部７は、図２４のように、タブ形成生地７５と後身頃形成生地２５の間に抗菌消臭布１３００が介在している。タブ形成生地７５及び抗菌消臭布１３００は、接着されて一体となっており、その縁に沿って、肩ヨーク形成生地３０に縫い付けられている。
【００７８】
上記した第３〜６実施形態では、ベース芯地３０２、ヒューズ芯地５０３、衿先用芯地４０３ａ，４０３ｂ、第２衿先用芯地６０２ａ，６０２ｂのいずれか一種類の芯地のみ抗菌消臭布を設けていたが、本発明はこれに限定されるものではない。２種類以上の芯地に抗菌消臭布を設けてもよいし、全ての種類の芯地に抗菌消臭布を設けてもよい。
【００７９】
上記した実施形態は、芯材上に抗菌消臭布を重ねることによって芯地として機能させていたが、本発明はこれに限定されるものではない。抗菌消臭布の加工芯を厚くして抗菌消臭布自体を芯地としてもよいし、抗菌消臭布を複数枚重ねて抗菌消臭布の積層体を芯地としてもよい。これらの場合、芯材は省略できる。
【００８０】
上記した実施形態では、芯地一枚当たり、一枚の芯材で構成されていたが、本発明はこれに限定されるものではない。芯地一枚当たり、複数枚の芯材が積層されて構成されていてもよい。
【００８１】
上記した実施形態は、生地上に芯材、抗菌消臭布の順に積層したが、本発明はこれに限定されるものではない。生地上に抗菌消臭布、芯材の順に積層してもよい。
【００８２】
上記した実施形態は、生地に対して芯地を接着しさらに縫い付けていたが、本発明はこれに限定されるものではない。生地に対して接着材等によって芯地を接着するだけもよい。すなわち、必ずしも生地に対して芯地を縫い付ける必要はない。
【００８３】
上記した実施形態は、着用者が通常着用したときに、着用者側の生地に芯地を取り付けていたが、本発明はこれに限定されるものではない。着用者とは反対側の生地に芯地を取り付けてもよい。
【００８４】
上記した実施形態は、一枚の芯材に対して長手方向に１枚又は２枚の抗菌消臭布を貼り付けたが、本発明はこれに限定されるものではない。一枚の芯材に対して長手方向に３枚以上の抗菌消臭布を貼り付けてもよい。
【００８５】
上記した実施形態では、芯材は、抗菌消臭布と同程度又は抗菌消臭布よりも大きい大きさであったが、本発明はこれに限定されるものではない。芯材は、抗菌消臭布の大きさよりも小さくてもよい。
【００８６】
上記した実施形態は、抗菌消臭布において加工芯１１０の片面にのみ消臭粒子１１１を分布させたが、本発明はこれに限定されるものではない。加工芯の両面に消臭粒子を分布させてもよい。
【００８７】
上記した実施形態では、シャツ１として長袖のドレスシャツの場合について説明したが、本発明はこれに限定されるものではない。シャツ１は、カジュアルシャツであってもよい。また、シャツ１は、半袖シャツであってもよい。
【符号の説明】
【００８８】
１，２００，３００，４００，５００，６００  シャツ
３  肩ヨーク
５  衿
７  タブ部
１５，１６  前身頃形成生地
１７，１８  前立て
２５  後身頃形成生地
３０，３１  肩ヨーク形成生地
３２  アームホール
４１  剣ボロ
４２，７０１  カフス
４５  袖本体形成生地
５２，５２ａ，５２ｂ  上ボロ形成生地
５５，６０  表面側覆部
５６，６１  裏面側覆部
５８，５８ａ，５８ｂ  下ボロ形成生地
７０，７１  カフス形成生地
７５  タブ形成生地
８０，２０１  台衿
８１，３０１，４０１，５０１，６０１  衿羽根
８５，８６  台衿形成生地
８７，２０２  台衿用芯地
８８，２０３  第１抗菌消臭布
８９，２０４  台衿用芯材
９０，９１  衿羽根形成生地
９２，３０２  ベース芯地
９３，３０５，４０５ａ，４０５ｂ  第２抗菌消臭布
９４  ベース芯材
３０３，５０３  ヒューズ芯地
３０６  ヒューズ用芯材
４０３ａ，４０３ｂ  衿先用芯地
４０６ａ，４０６ｂ，６０６ａ，６０６ｂ  衿先用芯材
６０１ａ，６０１ｂ  第２衿先用芯地
７０２  カフス用芯地
７０３，８００ａ，８００ｂ，９００，１０００，１１００，１２００，１３００  抗菌消臭布
７０５  カフス用芯材
９０１  前立て用芯材
９１０  前立て用芯地
【図１】
2019002097.tif 000003
【図２】
2019002097.tif 000004
【図３】
2019002097.tif 000005
【図４】
2019002097.tif 000006
【図５】
2019002097.tif 000007
【図６】
2019002097.tif 000008
【図７】
2019002097.tif 000009
【図８】
2019002097.tif 000010
【図９】
2019002097.tif 000011
【図１０】
2019002097.tif 000012
【図１１】
2019002097.tif 000013
【図１２】
2019002097.tif 000014
【図１３】
2019002097.tif 000015
【図１４】
2019002097.tif 000016
【図１５】
2019002097.tif 000017
【図１６】
2019002097.tif 000018
【図１７】
2019002097.tif 000019
【図１８】
2019002097.tif 000020
【図１９】
2019002097.tif 000021
【図２０】
2019002097.tif 000022
【図２１】
2019002097.tif 000023
【図２２】
2019002097.tif 000024
【図２３】
2019002097.tif 000025
【図２４】
2019002097.tif 000026